(57)【要約】【課題】接触通信によってデータの送信を行う装置において、無駄な消費電力をなくすことにある。【解決手段】送信装置１が、データを送信する送信部１１と、送信部１１に電力を供給するための電源１２と、送信部１１と電源１２とを接続するためのスイッチ１３とを備える。これにより、スイッチ１３がオンのときのみ、送信部１１と電源１２が接続され、送信部１１に電力が供給されるので、無駄な消費電力をなくすことができる。また、送信装置１のスイッチ１３に電界通信用の電極１４を備え、収集装置２との間で、電界伝達媒体である利用者９を介して電界通信を行う。これにより、利用者９が送信装置１のスイッチ１３に触れるだけで、送信部１１への電力供給と、データの収集を行うことができる。【選択図】図１
2007221427.tif 000002
【特許請求の範囲】
【請求項１】
第１の通信装置と第２の通信装置との間で電気的な信号を伝達する伝達媒体に電気的な信号を誘起してデータの送受信を行うデータ通信システムであって、
前記第１の通信装置は、
データ通信を行うための第１の通信手段と、
前記第１の通信手段に電力を供給するための電源と、
前記第１の通信手段と前記電源を接続するためのスイッチと、
前記スイッチに配置されるとともに、前記第１の通信手段に接続された第１の電極と、を有し、
前記第２の通信装置は、
第２の電極と、
前記第２の電極を介してデータ通信を行うための第２の通信手段と、を有し、
前記第２の通信装置を備える前記伝達媒体により接触された前記スイッチがオンしたときに、前記第１の通信手段と前記電源が接続されるとともに、前記伝達媒体により前記第１の電極と前記第２の電極との間に通信路が確立されること
を特徴とするデータ通信システム。
【請求項２】
前記第１、第２の通信装置のうち少なくとも１つは、
送信するデータを取得する取得手段をさらに有することを特徴とする請求項１に記載のデータ通信システム。
【請求項３】
前記第１、第２の通信装置のうち少なくとも１つは、
受信した前記データを収集する収集手段をさらに有することを特徴とする請求項１又は２に記載のデータ通信システム。
【請求項４】
前記伝達媒体は人体であることを特徴とする請求項１乃至３のいずれかに記載のデータ通信システム。
【請求項５】
データ通信を行うための第１の通信手段と、
前記第１の通信手段に電力を供給するための電源と、
前記第１の通信手段と前記電源を接続するためのスイッチと、
前記スイッチに配置されるとともに、前記第１の通信手段に接続された第１の電極と、を有し、
第２の通信装置を備える伝達媒体により接触された前記スイッチがオンしたときに、前記第１の通信手段と前記電源が接続されるとともに、前記伝達媒体により前記第１の電極と前記第２の通信装置との間に通信路が確立されることを特徴とする通信装置。
【請求項６】
送信するデータを取得する取得手段をさらに有することを特徴とする請求項５に記載の通信装置。
【請求項７】
前記取得手段は、外部センサによりデータを取得することを特徴とする請求項６に記載の通信装置。
【請求項８】
前記取得手段が取得したデータを一時的に蓄積する蓄積手段をさらに有し、
前記送信手段は、前記蓄積手段からデータを読み出し、送信することを特徴とする請求項６又は７に記載の通信装置。
【請求項９】
前記送信手段は前記伝達媒体に電界を誘起してデータを送信することを特徴とする請求項５乃至８のいずれかに記載の通信装置。
【請求項１０】
前記伝達媒体は人体であることを特徴とする請求項５乃至９のいずれかに記載の通信装置。
【請求項１１】
前記スイッチは、押ボタン式又はタッチ式であることを特徴とする請求項５乃至１０のいずれかに記載の通信装置。
【請求項１２】
第１の通信装置と第２の通信装置との間で電気的な信号を伝達する伝達媒体に電気的な信号を誘起してデータの送受信を行うデータ通信方法であって、
前記第１の通信装置により、
前記第２の通信装置を備えた前記伝達媒体により接触された前記第１の通信装置のスイッチがオンしたときに、前記第１の通信装置に備わった第１の通信手段に電力を供給するとともに、前記伝達媒体により前記第１の通信装置と前記第２の通信装置との間に確立された通信路を介して、データ通信を行うステップを有し、
前記第２の通信装置により、
前記通信路を介してデータ通信を行うステップを有することを特徴とするデータ通信方法。
【請求項１３】
送信するデータを取得するステップをさらに有することを特徴とする請求項１２に記載のデータ通信方法。
【請求項１４】
取得した前記データを蓄積するステップをさらに有し、
前記データを送信するステップは、蓄積した前記データを読み出し、送信することを特徴とする請求項１３に記載のデータ通信方法。
【請求項１５】
受信した前記データを収集するステップをさらに有することを特徴とする請求項１２乃至１４のいずれかに記載のデータ通信方法。
【発明の詳細な説明】
【技術分野】
【０００１】
本発明は、無駄な待機電力を減らすデータ通信技術に関する。
【背景技術】
【０００２】
蓄積したデータを接触通信で送信する送信装置は、送信電極に情報伝達媒体が接触したときに、データ送信部によって送信すべきデータに基づく電気的な信号を情報伝達媒介に誘起させてデータの送信を行う。この情報伝達媒体は、接触通信が可能な受信装置の受信電極にも接触しており、情報通信媒体により送信装置と受信装置との間の通信路が確立し、送信装置の送信したデータは受信される。なお、接触通信のひとつである電界通信に関する技術として、特許文献１に記載のものが知られている。
【特許文献１】特開２００５−３０３５７１号公報
【発明の開示】
【発明が解決しようとする課題】
【０００３】
しかしながら、従来の送信装置においては、情報伝達媒体によって送信電極がいつ接触されるか不明であるので、常にデータ送信部の電源を入れておき、一定間隔でデータの送信を繰り返す必要があった。そのため、受信装置が実際にはデータを受信していないときにも、データの送信を繰り返す必要があるので、無駄な電力を消費してしまうという問題がある。
【０００４】
本発明は、上記に鑑みてなされたものであり、その課題とするところは、接触通信でデータの送受信を行う装置において、通信相手がデータの送受信をしていないときでも、データの送受信を繰り返すことによる無駄な消費電力をなくすことにある。
【課題を解決するための手段】
【０００５】
本発明に係るデータ通信システムは、第１の通信装置と第２の通信装置との間で電気的な信号を伝達する伝達媒体に電気的な信号を誘起してデータの送受信を行うデータ通信システムであって、第１の通信装置は、データ通信を行うための第１の通信手段と、第１の通信手段に電力を供給するための電源と、第１の通信手段と電源を接続するためのスイッチと、スイッチに配置されるとともに、第１の通信手段に接続された第１の電極と、を有し、第２の通信装置は、第２の電極と、第２の電極を介してデータ通信を行うための第２の通信手段と、を有し、第２の通信装置を備える伝達媒体により接触されたスイッチがオンしたときに、第１の通信手段と電源が接続されるとともに、伝達媒体により第１の電極と第２の電極との間に通信路が確立されることを特徴とする。
【０００６】
本発明にあっては、第１通信装置が、データ通信を行うための第１通信手段と、第１通信手段に電力を供給するための電源と、第１通信手段と電源とを接続するためのスイッチとを備えることにより、スイッチがオンのときのみ、第１通信手段と電源が接続され、第１通信手段に電力が供給されるので、無駄な消費電力をなくすことができる。
【０００７】
また、第１通信装置のスイッチに第１電極を備え、第２通信装置の第２電極との間で、情報伝達媒体を介して通信を行うことにより、情報伝達媒体が第１通信装置のスイッチに触れるだけで、第１通信手段への電力供給と、データの送受信を行うことができる。
【発明の効果】
【０００８】
本発明によれば、接触通信でデータの送信を行う装置において、通信相手がデータの送受信をしていないときでも、データの送受信を繰り返すことによる無駄な消費電力をなくすことができる。
【発明を実施するための最良の形態】
【０００９】
以下、本発明の実施の形態について図面を用いて説明する。
【００１０】
図１は、本実施の形態におけるデータ通信システムの構成を示す模式図である。本データ通信システムは、送信装置１と利用者９に保持された収集装置２とを有する。なお、送信装置１と収集装置２は接触通信のひとつである電界通信によりデータの送受信を行う。
【００１１】
送信装置１は、戸外に設置され、気温などのデータを計測し、蓄積、送信する装置であり、利用者９は、収集装置２により送信装置１が計測したデータを収集する。送信装置１は、収集装置２がデータを収集するときにのみ、測定したデータを送信することで、無駄な消費電力を抑えることを可能にしたものである。
【００１２】
図１に示すように、送信装置１は、送信部１１、電源１２、スイッチ１３、スイッチ１３に備えられた電極１４、外部センサ１５、データ蓄積部１６を有する。
【００１３】
送信部１１と電源１２は、スイッチ１３を介して接続されており、スイッチ１３がオフのときには、送信部１１に電力は供給されていない。スイッチ１３がオンのときには、電源１２から送信部１１へ電力が供給され、送信部１１は、データ蓄積部１６からデータを取得し、スイッチ１３に配置された電極１４により電界を誘起して送信する。
【００１４】
スイッチ１３は、利用者９が触れることによりオンになる。なお、スイッチ１３は押しボタン式でも、タッチ式でもよい。
【００１５】
電極１４は、利用者９がスイッチ１３をオンにするときに、利用者９を電界伝達媒体として電極１４と収集装置２との間に通信路が確立されるように、スイッチ１３に配置され、更に、送信部１１と電源１２を接続する電力線とは別の配線により送信部１１に接続されている。これにより、収集装置２を所持する利用者９がスイッチ１３をオンにしたときには、送信部１１へ電力が供給されるとともに、送信装置１と収集装置２との間に通信路が確立されるので、収集装置２は、送信装置１から送信されたデータを受信することができる。
【００１６】
外部センサ１５は、例えば、温度計などを用いて、外部の情報を計測する。データ蓄積部１６は、外部センサ１５において計測されたデータを記憶する。なお、送信部１１は、外部センサ１５から直接データを取得してもよい。また、外部センサ１５およびデータ蓄積部１６は、スイッチ１３の状態とは無関係に電力が供給されており、定期的にデータを計測して、蓄積することができるが、スイッチ１３がオンのときのみ電力が供給されるようにして、そのときにデータ計測を行うものであってもよい。
【００１７】
なお、本発明の実施の形態においては、送信装置１から収集装置２へデータを送信するものであるが、これに限るものではなく、収集装置２から送信装置１へデータを送信するものであってもよい。収集装置２から送信装置１へデータを送信する場合には、収集装置２に送信するデータを取得するデータ取得部を備え、送信装置１にデータを収集するデータ収集部を備える構成であればよい。
【００１８】
さらに、送信装置１と収集装置２との間で双方向にデータを送受信するものであってもよく、双方向でデータを送受信する場合には、送信装置１と収集装置２の両方にデータを取得するデータ取得部や受信したデータを収集するデータ収集部を備える構成としてもよい。
【００１９】
次に、図２により、収集装置２について説明する。図２は、本実施の形態における収集装置２の構成を示すブロック図である。
【００２０】
図２に示すように、収集装置２は、電界通信用の電極２１、電界検出光学部２２、信号処理部２３、波形整形部２４、Ｉ／Ｏ回路２５およびデータ収集部２６を有する。
【００２１】
収集装置２は、電界伝達媒体を介して電極２１に誘起された電界を電界検出光学部２２において電気信号に変換し、信号処理部２３において電気信号の増幅、雑音除去などの処理を行う。この信号の波形を波形整形部２４において整えた後、Ｉ／Ｏ回路２５を介してデータ収集部２６において記憶する。
【００２２】
したがって、本実施の形態によれば、送信装置１が、データを送信する送信部１１と、送信部１１に電力を供給するための電源１２と、送信部１１と電源１２とを接続するためのスイッチ１３とを備えることにより、スイッチ１３がオンのときのみ、送信部１１と電源１２が接続され、送信部１１に電力が供給されるので、無駄な消費電力をなくすことができる。
【００２３】
また、送信装置１のスイッチ１３に電界通信用の電極１４を備え、収集装置２との間で、電界伝達媒体である利用者９を介して電界通信を行うことにより、利用者９が送信装置１のスイッチ１３に触れるだけで、送信部１１への電力供給と、データの受信を行うことができる。
【００２４】
なお、スイッチ１３は、人が押すものに限られず、データの取得は、外部センサ１５から取得するものに限られない。例えば、送信装置は、電界伝達媒体としての自動車がスイッチ１３を踏んだときに、送信装置内部の時計から時刻を取得して送信するものであってもよい。
【００２５】
また、送信装置１が収集装置２へ送信するデータは、送信装置１の内部に記憶されたデータを読み出すことにより取得してもよい。例えば、収集装置２を持った利用者９が送信装置１に触れることにより、送信装置１の内部に記憶されたＩＤを収集することができる。送信装置１がスタンプラリーのスタンプのような役目をして、利用者９の保持する収集装置２に収集されたＩＤにより、利用者９がどの送信装置１を通過したか否かを判断することができる。
【００２６】
さらに、本実施の形態における送信装置１と収集装置２との間のデータ通信は、電界通信としたが、これに限られるものではない。例えば、人体の表面に電流を流し通信を行う電流方式であってもよい。
【図面の簡単な説明】
【００２７】
【図１】一実施の形態におけるデータ通信システムの構成を示す模式図である。
【図２】収集装置の構成を示すブロック図である。
【符号の説明】
【００２８】
１…送信装置
１１…送信部
１２…電源
１３…スイッチ
１４…電極
１５…外部センサ
１６…データ蓄積部
２…収集装置
２１…電極
２２…電界検出光学部
２３…信号処理部
２４…波形整形部
２５…Ｉ／Ｏ回路
２６…データ収集部
９…利用者
【図１】
2007221427.tif 000003
【図２】
2007221427.tif 000004